(57)【要約】【課題】  自動で名刺を搬送する名刺搬送装置、並びにかかる名刺搬送装置を利用することで名刺の電子化が簡便となる名刺読取方法及び名刺読取システムを提供することである。  【解決手段】  実施形態の名刺搬送装置は、搬送機構、センサ、及び駆動機構を有する。前記搬送機構は、読取処理の対象の名刺を読取位置に搬送する。前記センサは、この搬送機構により搬送される名刺を読み取る際の光を検知する。前記駆動機構は、このセンサの検知入力に応じて、前記搬送機構を駆動する。【選択図】  図４
2014232908.tif 000002
【特許請求の範囲】
【請求項１】
読取処理の対象の名刺を読取位置に搬送する搬送機構と、
この搬送機構により搬送される名刺を読み取る際の光を検知するセンサと、
このセンサの入力信号に応じて、前記搬送機構を駆動する駆動機構と、
を有する名刺搬送装置。
【請求項２】
読取処理の対象の名刺を読取位置に搬送する搬送機構と、
所定の時間を計測するタイマと、
このタイマの計時に応じて前記搬送機構を駆動する駆動機構と、
を有する名刺搬送装置。
【請求項３】
前記読取処理の対象の名刺を載置する名刺給紙トレイと、
前記読取処理が実行された名刺を載置する排紙トレイと、をさらに有し、
前記名刺給紙トレイ、前記搬送機構、及び前記排紙トレイは筐体に設けられ、この筐体が第１の向きに位置された状態で前記読取処理を行う場合の第１の位置と、前記第１の向きとは上下反転された第２の向きに位置された状態で前記読取処理を行う場合の第２の位置とへ選択的に配置可能である請求項１又は請求項２に記載の名刺搬送装置。
【請求項４】
名刺を読取位置に搬送し、
この読取位置で画像の読取処理を実行し、
この読取処理の実行により、読取対象である名刺の画像とは異なる開始画像を読み取った場合、名刺読取処理を開始し、
以降の前記名刺読取処理によって取得する名刺の画像を保存し、
前記開始画像を読み取った後に、読取対象である名刺の画像とは異なる終了画像を読み取った場合、前記名刺読取処理を終了する名刺読取方法。
【請求項５】
名刺を搬送する名刺搬送装置と、画像を読み取る画像読取装置とを有する名刺読取システムにおいて、
前記名刺搬送装置は、前記画像読取装置からの画像読取の際の光を検知するセンサと、前記名刺を搬送する搬送ローラと、前記センサの入力信号に応じて前記搬送ローラを駆動させる駆動機構と、を備え、
前記画像読取装置は、前記搬送ローラにより読取位置に搬送される名刺の名刺読取処理を実行し、かつこの名刺読取処理を、読取対象である名刺の画像とは異なる終了画像を読み取るまで繰り返し行う制御部とを備えた名刺読取システム。
【発明の詳細な説明】
【技術分野】
【０００１】
本発明の実施形態は、名刺を自動搬送する名刺搬送装置、並びにかかる名刺搬送装置を利用した名刺読取方法及び名刺読取システムに関する。
【背景技術】
【０００２】
従来、シート（原稿）の画像を読み取る画像読取装置がある。例えば、電子写真方式で原稿の画像を印字する装置では、原稿自動送り装置（ＡＤＦ）によって搬送されたシート又は原稿載置台に載置されたシートの画像を画像読取装置により読み取る。
【０００３】
ところが、名刺等の小サイズの媒体は、原稿自動送り装置を利用することが難しかった。そのため、ユーザが名刺１枚１枚を画像読取装置の原稿載置台にセットして読取処理を行う必要があった。
【先行技術文献】
【特許文献】
【０００４】
【特許文献１】特開２０１１―８６９８８公報
【発明の概要】
【発明が解決しようとする課題】
【０００５】
本発明の実施形態が解決しようとする課題は、自動で名刺を搬送する名刺搬送装置、並びにかかる名刺搬送装置を利用することで名刺の電子化が簡便になる名刺読取方法及び名刺読取システムを提供することである。
【課題を解決するための手段】
【０００６】
実施形態の名刺搬送装置は、搬送機構、センサ、及び駆動機構を有する。前記搬送機構は、読取処理の対象の名刺を読取位置に搬送する。前記センサは、この搬送機構により搬送される名刺を読み取る際の光を検知する。前記駆動機構は、このセンサの検知入力に応じて、前記搬送機構を駆動する。
【図面の簡単な説明】
【０００７】
【図１】第１の実施形態における画像形成装置のハードウェア構成の制御ブロック図。
【図２】第１の実施形態におけるスキャナ部の断面図。
【図３】第１の実施形態に係る名刺搬送装置の断面図。
【図４】第１の実施形態における名刺読取処理を実行する画像形成装置のスキャナ部及び名刺搬送装置の外観斜視図。
【図５】第１の実施形態における、サーバ、画像形成装置及び名刺搬送装置の各動作が関連する名刺読取処理の動作フローチャート。
【図６】第２の実施形態に係る名刺搬送装置の断面図。
【図７】第３の実施形態に係る名刺搬送装置の断面図。
【発明を実施するための形態】
【０００８】
以下、発明を実施するための実施形態について図面を参照して説明する。
（第１の実施形態）
【０００９】
以下に第１の実施形態について説明する。本実施形態に係る名刺搬送装置は、外部の画像読取装置として画像形成装置のスキャナ部を利用する。
【００１０】
図１は、第１の実施形態における画像形成装置１００のハードウェア構成の制御ブロック図である。画像形成装置１００は、制御部１１０、給紙部１３０、画像形成部１４０、操作部１５０、通信インターフェース（Ｉ／Ｆ）部１６０、及びスキャナ部（画像読取装置）１７０を備える。各部は、バス２００を介して互いに接続される。
【００１１】
制御部１１０は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）からなるプロセッサ１１２、メモリ１１４及び記憶装置１２０を有する。メモリ１１４は、例えば、半導体メモリであり、各種制御プログラムを格納するＲＯＭ（Ｒｅａｄ  Ｏｎｌｙ  Ｍｅｍｏｒｙ）１１６と、プロセッサ１１２に一時的な作業領域を提供するＲＡＭ（Ｒａｎｄｏｍ  Ａｃｃｅｓｓ  Ｍｅｍｏｒｙ）１１８を有する。記憶装置１２０は、例えば、ハードディスクドライブ、その他の磁気記憶装置、光学式記憶装置、若しくはフラッシュ・メモリ等の半導体記憶装置又はこれらの任意の組み合わせであって良い。制御部１１０は、後述する外部のサーバ２１０と通信を行う。
【００１２】
給紙部１３０は、複数のシートを収容するカセット部及び手差し部を有する。カセット部は、複数設けても良い。給紙部１３０は、カセット部又は手差し部に載置されるシートを１枚ずつ取り出し、画像形成部１４０へ搬送する。
【００１３】
画像形成部１４０は、周知の構成を持っており、例えば、感光体ドラムを含む画像形成ユニット及びトナーを現像剤とする現像ユニット等を有する。画像形成部１４０は、原稿をスキャナ部１７０で読み取った画像、又は通信Ｉ／Ｆ部１６０から受信した印刷データに基づいた画像を給紙部１３０より搬送されるシートに印刷する。本実施形態において、この画像形成部１４０は、カラー画像を形成する構成又はモノクロ画像のみを形成する構成のいずれでも採用可能である。
【００１４】
操作部１５０は、各種操作キーと、タッチパネル式の入力部を備える表示部１５５を有する。操作キーは、例えば、テンキー、リセットキー、ストップキー、及びスタートキー等を有する。表示部１５５は、例えば、シートサイズ、コピー枚数、印刷濃度設定、及び仕上げ（綴じ、折り、製本）等の印刷条件に関する指示項目を表示する。操作部１５０は、ユーザからの入力を操作キー又は表示部１５５より受け付ける。
【００１５】
通信Ｉ／Ｆ部１６０は、例えばＰＣ又は印刷サーバ２１０等といった外部のユーザ端末と制御部１１０とをネットワークを介して接続するインターフェースである。通信Ｉ／Ｆ部１６０は、例えばＢｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ１２８４等の適切な無線又は有線のインターフェースを含む。通信Ｉ／Ｆ部１６０は、さらに、ＵＳＢ規格の接続端子が接続されるＵＳＢ接続部又はパラレルインタフェース等を含んでも良い。制御部１１０は、通信Ｉ／Ｆ部１６０を介してユーザ端末又はＵＳＢデバイス、その他外部機器と通信する。通信Ｉ／Ｆ部１６０は、例えば、ユーザ端末から印刷データを受信する。
【００１６】
図２は、第１の実施形態におけるスキャナ部１７０の断面図である。スキャナ部１７０は、原稿載置台１７２、第１反射ミラー１７４及び第１反射ミラー１７４を有する第１キャリッジ１７８、第２反射ミラー１８０及び第３反射ミラー１８２を有する第２キャリッジ１８４、レンズ１８６、並びにＣＣＤ（Ｃｈａｒｇｅ  Ｃｏｕｐｌｅｄ  Ｄｅｖｉｃｅ）センサ１８８を有する。スキャナ部１７０は、原稿載置台１７２上の原稿の画像を読み取る読取処理を行う。このスキャナ部１７０もカラー画像を読み取る構成又はモノクロ画像を読み取る構成のいずれも採用可能である。
【００１７】
原稿載置台１７２は、読取処理が行われる原稿を載置する台である。第１キャリッジ１７８は、図示しないモータの駆動により、待機位置を基準に第１キャリッジ１７８の軸方向と直交する副走査方向へ往復移動する。露光ランプ１７６は、原稿へ光を照射する。露光ランプ１７６は、例えばＬＥＤ（Ｌｉｇｈｔ  Ｅｍｉｔｔｉｎｇ  Ｄｉｏｄｅ）ランプにより構成される。第１反射ミラー１７４は、露光ランプ１７６の照射による原稿からの反射光を第２反射ミラー１８０へ反射させる。第２キャリッジ１８４は、第１キャリッジ１７８と連動して第２反射ミラー１８０及び第３反射ミラー１８２を副走査方向へ往復搬送する。但し、第２キャリッジ１８４の速度は、第１キャリッジ１７８の速度の半分である。すなわち第２キャリッジ１８４は、待機位置を基準とした第１キャリッジ１７８の移動距離の半分の距離を移動する。第２反射ミラー１８０及び第３反射ミラー１８２は、第１反射ミラー１７４からの反射光をレンズ１８６へ反射させる。レンズ１８６は、第３反射ミラー１８２からの反射光をＣＣＤセンサ１８８へ導く。ＣＣＤセンサ１８８は、光を電気信号へ変換し、画像信号として画像形成部１４０へ出力する。
【００１８】
次に、図１に示すサーバ２１０について説明する。サーバ２１０は、ウェブブラウザの通信機能（例えば、ＨＴＴＰ通信）により画像形成装置１００の制御部１１０と通信を行う。サーバ２１０は、画像形成装置１００の表示部１５５のブラウザを介してユーザからの入力を受け付ける。サーバ２１０は、ユーザからの入力により画像形成装置１００の制御部１１０に対して種々の指示を送る。
【００１９】
また、サーバ２１０はスキャナ部１７０が読み取った画像を取得し、取得した画像をサーバ２１０上又は画像形成装置１００の記憶装置１２０に保存する取得処理を行う。サーバ２１０は、予め指定した開始画像と終了画像を読み取ることにより名刺読取処理の開始及び終了を行う。本実施形態の開始画像及び終了画像は、例えば、原稿が載置されない状態で読取処理を行うことで得られる白紙画像である。すなわち、スキャナ部１７０より１枚目の白紙画像を取得すると、サーバ２１０は当該画像を破棄し、名刺読取処理を開始する。名刺読取処理の取得処理において、サーバ２１０は、取得した名刺画像を管理番号とともに保存する。その後、サーバ２１０がスキャナ部１７０より２枚目の白紙画像を取得すると、サーバ２１０は制御部１１０に対して読取処理の終了を指示する。
【００２０】
次に本実施形態に係る名刺搬送装置２２０の説明を行う。図３は、第１の実施形態に係る名刺搬送装置２２０の断面図である。名刺搬送装置２２０は、名刺給紙トレイ２２２、給紙ローラ対２２４、複数の搬送ローラ２２６、排紙ローラ対２２８、駆動機構（図示せず）、センサ２３０、読取ガラス２３２、及び排紙トレイ２３４を有する。
【００２１】
名刺給紙トレイ２２２は、読取処理が行われる名刺を積載する。名刺給紙トレイ２２２は、名刺の搬送方向下流（以後、下流とする）へ向かって低くなる傾斜を有する。この構成を取ることにより、名刺給紙トレイ２２２に積載される名刺の下流側先端部が給紙ローラ対２２４に当接するため、名刺の搬送方向の整合を行うことが出来る。また名刺給紙トレイ２２２は、積載された名刺の搬送方向に直交する幅方向（以後、幅方向とする）の整合を行うために、整合部材を有しても良い。
【００２２】
センサ２３０は、名刺搬送装置２２０の幅方向端部に設けられる。本実施形態のセンサ２３０は、名刺給紙トレイ２２２側と排紙トレイ２３４側とに２つ設けられる。センサ２３０は、スキャナ部１７０の露光ランプ１７６から照射される光を検知する。読取ガラス２３２は、名刺給紙トレイ２２２から排紙トレイ２３４までを繋ぐ搬送路の途中に位置する。スキャナ部１７０は、読取ガラス２３２上の読取位置に搬送される名刺を読み取る。
【００２３】
給紙ローラ対２２４は、名刺給紙トレイ２２２に積載された名刺を上から１枚ずつ名刺搬送装置２２０内部へ搬送する。複数の搬送ローラ２２６は、給紙ローラ対２２４が搬送した名刺を読取位置へ搬送する。また搬送ローラ２２６は、読取処理が実行された読取位置上の名刺を排紙ローラ対２２８へ搬送する。排紙ローラ対２２８は、搬送ローラ２２６から受け取った名刺を排紙トレイ２３４へ搬送する。以下、本実施形態においては給紙ローラ対２２４、搬送ローラ２２６、及び排紙ローラ対２２８をまとめて搬送機構とする。
【００２４】
駆動機構は、センサ２３０の入力信号に応じて搬送機構の動作を制御する。駆動機構は、例えば、ステッピングモータ等である。駆動機構は、搬送機構を介して名刺給紙トレイ２２２上の名刺を読取位置まで搬送する第１の動作と、読取位置に載置される名刺を排紙トレイ２３４へ搬送する第２の動作を行う。駆動機構は、複数の名刺によるジャムが生じないように、各動作を連動させて行う。駆動機構は、例えば、本実施形態では各動作を同時に行う。
【００２５】
排紙トレイ２３４は、読取ガラス２３２上で読取処理が実行された名刺を積載する。排紙トレイ２３４は、図３に示す位置関係で下流へ向かって高くなる傾斜を有する。この構成により、排紙トレイ２３４へ排紙される名刺はまず排紙トレイ２３４上に落ち、その後端部が排紙トレイ２３４の傾斜に沿って名刺搬送装置２２０の筐体に当接するため、名刺の搬送方向を整合することが出来る。
【００２６】
図４は、第１の実施形態における名刺読取処理を実行する画像形成装置１００のスキャナ部１７０及び名刺搬送装置２２０の外観斜視図である。名刺搬送装置２２０は、スキャナ部１７０の原稿載置台１７２上に載置される。名刺搬送装置２２０は、センサ２３０と第１キャリッジ１７８の待機位置との副走査方向（図中矢印ａ方向）へ距離が最大となるように載置される。すなわち名刺搬送装置２２０は、スキャナ部１７０の副走査方向と名刺の搬送方向（図中矢印ｂ方向）とが直交するように載置される。
【００２７】
尚、本実施形態においては、画像形成装置１００と名刺搬送装置２２０とは、有線又は無線による接続を行っていないものとする。すなわち画像形成装置１００と名刺搬送装置２２０は、それぞれ独立して動作を行う。但し、画像形成装置１００から名刺搬送装置２２０へ電源を供給するために、これら２つが例えばＵＳＢケーブルで接続されても良い。
【００２８】
次に、本実施形態の名刺読取制御について各図を参照して説明する。図５は、第１の実施形態における、サーバ、画像形成装置及び名刺搬送装置の各動作が関連する名刺読取処理の動作フローチャートである。図中の点線は、画像形成装置１００とサーバ２１０との間の通信を表す。なお、名刺読取処理の実行にあたり、画像形成装置１００（スキャナ部１７０）と名刺搬送装置２２０とは、図４に示すように配置されている。
【００２９】
ユーザから画像形成装置１００の操作部１５０を介して名刺読取処理の開始指示を受け付けると、サーバ２１０は、制御部１１０に読取処理の開始を指示する（ＡＣＴ１０１）。サーバ２１０からの指示を受けた画像形成装置１００の制御部１１０は、スキャナ部１７０による読取処理を開始する（ＡＣＴ１０２）。第１キャリッジ１７８が副走査方向へ移動し、図４に示すように、原稿載置台１７２上に載置された名刺搬送装置２２０の読取ガラス２３２上の画像を読み取る。制御部１１０は、読み取った画像をサーバ２１０へ送信する（ＡＣＴ１０３）。読取処理において露光ランプ１７６が名刺搬送装置２２０のセンサ２３０を照射すると、名刺搬送装置２２０のセンサ２３０が露光ランプ１７６の光を検知する（ＡＣＴ１０４）。センサ２３０が光を検知し、検知信号（入力信号）を制御部１１０へ出力すると、制御部１１０は、駆動機構を介して搬送ローラ２２６を駆動し、次の読取処理の対象となる名刺を読取位置まで搬送する（ＡＣＴ１０５）。その間に制御部１１０は、第１キャリッジ１７８及び第２キャリッジ１８４を元の待機位置まで移動させる（ＡＣＴ１０６）。
【００３０】
サーバ２１０は、スキャナ部１７０から画像を取得する（ＡＣＴ１０７）。次にサーバ２１０は、名刺読取処理を行っているか、及び取得した画像が白紙画像か否かを判定する（ＡＣＴ１０８、ＡＣＴ１０９ａ、ＡＣＴ１０９ｂ）。サーバ２１０は、名刺読取処理を行っていない場合（ＡＣＴ１０８：Ｎｏ）、白紙画像を取得するまで、スキャナ部１７０から画像を取得し続ける（ＡＣＴ１０９ｂ：Ｎｏ）。白紙画像を取得した場合（ＡＣＴ１０９ｂ：Ｙｅｓ）、サーバ２１０は、この白紙画像を読取処理の開始画像と認識し、当該白紙画像を破棄し（ＡＣＴ１１０）、名刺読取処理に移行する（ＡＣＴ１１１）。以降、白紙画像以外の画像（名刺画像）を取得した場合（ＡＣＴ１０８：Ｙｅｓ、ＡＣＴ１０９ａ：Ｎｏ）、サーバ２１０は、当該画像を管理番号と共に保存する（ＡＣＴ１１２）。この動作（ＡＣＴ１０７、ＡＣＴ１０８、ＡＣＴ１０９ａ及びＡＣＴ１１２）は、ＡＣＴ１０９ａでＹｅｓとなるまで繰り返し実行される。その後、再度白紙画像を取得した場合（ＡＣＴ１０８：Ｙｅｓ、ＡＣＴ１０９ａ：Ｙｅｓ）、サーバ２１０は、この白紙画像を今度は読取処理の終了画像と認識し、当該白紙画像を破棄し（ＡＣＴ１１３）、制御部１１０へ読取処理の終了指示を出す（ＡＣＴ１１４）。
【００３１】
制御部１１０は、サーバ２１０から上述した読取処理の終了指示があるまで（ＡＣＴ１１５：Ｙｅｓ）、読取処理を繰り返す。
【００３２】
他方、名刺搬送装置２２０は、１枚目の名刺を搬送した以降は、センサ２３０が画像読取のための光を検知すると、駆動機構は搬送機構を介して名刺給紙トレイ２２２の名刺を読取位置まで搬送すると同時に、読取位置にある読取処理が実行された名刺を排紙トレイ２３４へ搬送する。名刺搬送装置２２０は、名刺を一枚搬送する度に名刺給紙トレイ２２２上の名刺の有無を判断する。名刺が全て無くなった場合（ＡＣＴ１１６：Ｙｅｓ）、駆動機構は搬送ローラ２２６の駆動を止め、待機状態へ移る（ＡＣＴ１１７）。
【００３３】
尚、裏面を読み取る場合には、名刺搬送装置２２０の排紙トレイ２３４に排紙された名刺を名刺給紙トレイ２２２に再セットすれば良い。この際、名刺の裏面を読み取れるようにユーザが名刺を並び替えても良く、又は最後の名刺の裏面から順に読み取るようにしても良い。サーバ２１０は、ユーザからの指示に基づき、表面を読み取った順で裏面を読み取るか、逆順に裏面を読み取るかを判断し、表面の画像を裏面の画像を対応付けて最終的に保存する。
【００３４】
上述した第１の実施形態によれば、画像読取装置としてのスキャナ部の動作に応じて名刺搬送装置は自動で名刺の搬送を行う。また、スキャナ部は搬送されてくる名刺に対して自動で読取処理を行うため、簡便に名刺の電子化を行うことが出来る。
（第２の実施形態）
【００３５】
以下に第２の実施形態について説明する。第２の実施形態に係る名刺搬送装置２２０は、第１の実施形態における画像形成装置の画像読取装置としてのスキャナ部に替えて、外部の画像読取装置としてカメラ機能付きの携帯デバイス２５０を利用する。携帯デバイス２５０は、例えばスマートフォンやタブレット端末等である。携帯デバイス２５０は、名刺搬送装置２２０筐体の上部に載置され、読取孔２３６を通じて下方に位置する読取位置へ搬送される名刺を読み取る。
【００３６】
図６は、第２の実施形態に係る名刺搬送装置２２０の断面図である。本実施形態の名刺搬送装置２２０が第１の実施形態に係る名刺搬送装置２２０と異なる点は、読取孔２３６及びタイマを有する点、並びに一部の搬送ローラ２２６の代わりにベルトコンベア２３８を有する点である。
【００３７】
読取孔２３６は、筐体上部に設けられる。筐体上部に載置された携帯デバイス２５０は、読取孔２３６にカメラのレンズ１８６を合わせることで、名刺画像を読み取る。読取孔２３６は、埃等が筐体内部に入り込まないように、ガラスがはめ込まれても良い。
【００３８】
タイマは、所定の時間を計測することで、搬送機構を間欠的に駆動させる。名刺搬送装置２２０は、タイマにより所定の間隔を空けて搬送機構を駆動させることで、給紙トレイ２２２に載置される名刺を読取位置へ搬送するとともに、読取位置上の名刺を排紙トレイ２３４へ搬送する。
【００３９】
ベルトコンベア２３８は、図３に示す読取ガラス２３２上の搬送部材として搬送ローラ２２６の代わりに設けられる。以下、本実施形態では給紙ローラ対２２４、搬送ローラ２２６、排紙ローラ対２２８、及びベルトコンベア２３８をまとめて搬送機構とする。
【００４０】
また、名刺搬送装置２２０は、名刺画像の画質を向上させるために照明装置２４０を有しても良い。照明装置２４０は、例えば名刺搬送装置２２０の筐体内上部に複数設けられ、読取位置へ搬送される名刺に光を照射する。
【００４１】
次に本実施形態で使用する携帯デバイス２５０について説明する。携帯デバイス２５０は、カメラ機能を有する。携帯デバイス２５０は、所定のアプリケーションを実行することで、名刺搬送装置２２０の搬送間隔に合わせて繰り返しカメラのシャッターを切り、撮影した画像を、例えば、内蔵するメモリに保存する機能を有する。携帯デバイス２５０は、撮影範囲内の画像が読取位置で静止するごとにカメラのシャッターを切るよう、設定されても良い。
【００４２】
尚、本実施形態における照明装置２４０は、携帯デバイス２５０に備えられても良い。携帯デバイス２５０の照明装置２４０を使用する場合、名刺搬送装置２２０は、当該照明装置２４０による発光により名刺の搬送を開始しても良い。この場合、名刺搬送装置２２０は携帯デバイス２５０が備える照明装置２４０の光を検知するセンサ２３０（図３参照）を有する。第２の実施形態に係る名刺搬送装置２２０は、第１の実施形態とは異なり、センサ２３０が照明装置２４０の、読取処理を行う際の光を検知することで、搬送機構を駆動させる。
【００４３】
上述した第２の実施形態によれば、画像形成装置のスキャナ部の代わりに携帯デバイスを使用する事で、より簡便に名刺の電子化を行うことが出来る。
（第３の実施形態）
【００４４】
以下に第３の実施形態について説明する。第３の実施形態に係る名刺搬送装置２２０は、外部の画像読取装置として画像形成装置１００のスキャナ部１７０を利用する場合と、カメラ機能付きの携帯デバイス２５０を利用する場合とで、ユーザが名刺搬送装置２２０の筐体を上下反転させて使用する。
【００４５】
本実施形態の名刺搬送装置２２０が第１の実施形態の名刺搬送装置２２０と異なる点を説明する。本実施形態の名刺搬送装置２２０は、名刺給紙トレイ２２２、給紙ローラ対２２４、及び排紙トレイ２３４がそれぞれ移動可能に設けられる。名刺給紙トレイ２２２、給紙ローラ対２２４、及び排紙トレイ２３４は、外部の画像読取装置としてスキャナ部１７０（図４参照）と携帯デバイス２５０（図６参照）のどちらを利用するかにより位置を変更する。
【００４６】
図７は、第３の実施形態に係る名刺搬送装置２２０の断面図である。本実施形態の名刺給紙トレイ２２２、給紙ローラ対２２４、及び排紙トレイ２３４は、それぞれ後述する第１の位置と第２の位置とへ選択的に移動する。名刺給紙トレイ２２２は、筐体との接続部を軸として下方向へ回動可能に設けられる（図中矢印Ａ）。給紙ローラ対２２４は、上ローラが下ローラとのニップを維持した状態で下ローラの円周に沿って名刺給紙トレイ２２２側へ可動する（図中矢印Ｂ）。排紙トレイ２３４は、例えば、取り外し可能に形成され、排紙口を中心に上下対称となる位置へも設置が可能である（図中矢印Ｃ）。
【００４７】
図７（ａ）は、外部の読取装置として画像形成装置１００のスキャナ部１７０を利用する際の名刺搬送装置２２０の断面図である。この場合、名刺搬送装置２２０は、図４と同様に、スキャナ部１７０の原稿載置台１７２上に位置する。スキャナ部１７０を利用する場合、名刺搬送装置２２０は、読取ガラス２３２が筐体の下方へ位置する第１の向きに載置される。名刺搬送装置２２０の各部は、第１の実施形態における名刺搬送装置２２０と同様の位置（第１の位置）に設けられる。
【００４８】
図７（ｂ）は、外部の読取装置として携帯デバイス２５０を利用する際の名刺搬送装置２２０の断面図である。携帯デバイス２５０を利用する場合、名刺搬送装置２２０の筐体は上下反転された第２の向きに載置され、筐体上部にあたる読取ガラス２３２上に携帯デバイス２５０が載置される。携帯デバイス２５０は、読取ガラス２３２を通して読取位置へ搬送される名刺を読み取る。この場合、名刺搬送装置２２０の各部は、第２の位置に移動される。名刺給紙トレイ２２２は、第２の位置へ回動されることで、搬送方向下流へ向かって低くなる傾斜を有する。給紙ローラ対２２４は、上ローラが給紙トレイ２２２方向へ移動することで、名刺給紙トレイ２２２上に積載される名刺の下流方向先端部と当接する。排紙トレイ２３４は、設置場所を第２の位置とすることで、搬送方向下流へ向かって高くなる傾斜を有する。
【００４９】
上述した第３の実施形態によれば、外部装置として画像形成装置のスキャナ部又はカメラ機能を有する携帯デバイスとを使い分けて名刺の電子化を行うことが出来る。
【００５０】
以上説明した少なくとも一つの実施形態によれば、名刺搬送装置により名刺の電子化を簡便に行うことが出来る。
【００５１】
本発明は上記実施形態に限定されるものではなく、種々の変形が可能である。各実施形態において名刺画像を保存する際には、外部の読取装置によりトリミング加工を施した後に名刺画像を保存しても良い。また、各実施形態において名刺搬送装置と外部の読取装置とは、有線又は無線接続による通信は行わないとしたが、この形態に限ることでは無い。いずれの実施形態においても名刺搬送装置と外部の読取装置とを接続させることで、読取処理及び搬送のタイミングを同期させても良い。
【００５２】
また、上述の実施形態の名刺読取システムは、サーバを介したシステムとしているが、サーバの機能を画像形成装置の制御部が担うことで、名刺搬送装置と画像形成装置のみで構成されても良い。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１１０…制御部
１５２…原稿載置台
１５６…露光ランプ
１７０…スキャナ部（画像読取装置）
１８０…名刺搬送装置
１８２…名刺給紙トレイ
１８６…搬送ローラ
１９０…駆動機構
１９２…センサ
１９６…排紙トレイ
２２４…給紙ローラ
２２６…搬送ローラ
２２８…排紙ローラ
【図１】
2014232908.tif 000003
【図２】
2014232908.tif 000004
【図３】
2014232908.tif 000005
【図４】
2014232908.tif 000006
【図５】
2014232908.tif 000007
【図６】
2014232908.tif 000008
【図７】
2014232908.tif 000009